(57)【特許請求の範囲】
【請求項１】
バンド本体と、このバンド本体の端部とこれに対応する被装着部材のバンド取付部とに取り付けられるバンド連結部材と、を備え、
前記バンド連結部材は、複数の部品片が前記バンド本体の長手方向に対して直交する方向に配列されて相互に固着された構成であり、
前記複数の部品片は、前記被装着部材の外側面に対応する連結部と上部側が開放された装着部とが設けられた本体片と、この本体片の前記装着部に配列されて組み付けられる複数の装飾片と、を備えていることを特徴とするバンド。
【請求項２】
請求項１に記載のバンドにおいて、前記バンド連結部材は、前記被装着部材に対面する前記本体片および前記複数の装飾片の各対向面が、前記バンド取付部における前記被装着部材の外面に対応する形状に形成されていることを特徴とするバンド。
【請求項３】
請求項２に記載のバンドにおいて、前記バンド連結部材の前記各対向面には、前記本体片および前記複数の装飾片を溶接または接着によって相互に固着するための固着凹部が、前記本体片および前記複数の装飾片に亘ってその配列方向に設けられていることを特徴とするバンド。
【請求項４】
請求項１〜請求項３のいずれかに記載のバンドにおいて、前記バンド連結部材は、前記複数の部品片をその配列方向に固定するための補助パイプを備えていることを特徴とするバンド。
【請求項５】
請求項４に記載のバンドにおいて、前記バンド連結部材は、前記補助パイプに挿入される第１ピン部材によって前記被装着部材の前記バンド取付部に取り付けられることを特徴とするバンド。
【請求項６】
請求項１〜請求項５のいずれかに記載のバンドにおいて、前記バンド連結部材は、前記複数の装飾片が前記被装着部材の前記バンド取付部よりも前記バンド本体側に突出し、この突出した前記複数の装飾片の各バンド側端部が第２ピン部材によって前記バンド本体の前記端部に取り付けられることを特徴とするバンド。
【請求項７】
請求項１〜請求項６のいずれかに記載されたバンドを備えていることを特徴とする時計。
【請求項８】
バンド本体と、このバンド本体の端部とこれに対応する被装着部材のバンド取付部とに取り付けられるバンド連結部材と、を備え、
前記バンド連結部材は、複数の部品片が前記バンド本体の長手方向に対して直交する方向に配列されて相互に固着された構成であり、
前記バンド連結部材の前記被装着部材側端面には、前記複数の部品片を溶接または接着によって相互に固着するための固着凹部が、前記複数の部品片に亘ってその配列方向に設けられており、
前記固着凹部は、前記バンド取付部に前記バンド連結部材を取り付けた際に、前記被装着部材の外面により露出しないことを特徴とするバンド。
【発明の詳細な説明】
【技術分野】
【０００１】
この発明は、腕時計などの腕装着装置や鞄、バッグなどに用いられるバンドおよびそれを備えた時計に関する。
【背景技術】
【０００２】
例えば、腕時計のバンドにおいては、特許文献１に記載されているように、バンド本体の端部にバンド連結部材を取り付け、このバンド連結部材を腕時計ケースに取り付けることにより、バンド本体を腕時計ケースに取り付けるように構成されたものが知られている。
【先行技術文献】
【特許文献】
【０００３】
【特許文献１】特開２００６−１０９９５２号公報
【０００４】
このようなバンドのバンド連結部材は、腕時計ケースに取り付けられるケース取付片と、バンド本体の端部に取り付けられるバンド連結駒と、を備え、ケース取付片にバンド連結駒をねじ部材によって取り付けることにより、バンド連結駒でケース取付片を覆った状態で、バンド本体を腕時計ケースに取り付けるように構成されている。
【発明の概要】
【発明が解決しようとする課題】
【０００５】
しかしながら、このようなバンドでは、バンド本体を腕時計ケースに取り付けるためのバンド連結部材が、腕時計ケースに取り付けられるケース取付部材に、バンド本体の端部に取り付けられるバンド連結駒を、ねじ部材によって取り付ける構成であるから、部品点数が多く、取付作業が煩雑で面倒であるほか、ケース取付片を覆い隠して外部から見えるバンド連結駒が単純な構成であるため、装飾性に乏しいという問題がある。
【０００６】
この発明が解決しようとする課題は、最小限の部品点数で、装飾性に優れ、かつ取付作業の簡素化を図ることができるバンドおよびそれを備えた時計を提供することである。
【課題を解決するための手段】
【０００７】
この発明は、バンド本体と、このバンド本体の端部とこれに対応する被装着部材のバンド取付部とに取り付けられるバンド連結部材と、を備え、前記バンド連結部材は、複数の部品片が前記バンド本体の長手方向に対して直交する方向に配列されて相互に固着された構成であり、
前記複数の部品片は、前記被装着部材の外側面に対応する連結部と上部側が開放された装着部とが設けられた本体片と、この本体片の前記装着部に配列されて組み付けられる複数の装飾片と、を備えていることを特徴とするバンドである。
【発明の効果】
【０００８】
この発明によれば、複数の部品片を配列させた状態で相互に固着して一体化することができるので、バンド連結部材の装飾性を向上させることができると共に、バンド連結部材が複数の部品片で形成されていても、バンド連結部材を１つの部品として取付作業を行うことができる。このため、最小限の部品点数で、装飾性に優れ、かつ取付作業の簡素化を図ることができる。
【図面の簡単な説明】
【０００９】
【図１】この発明を腕時計に適用した一実施形態を一部省略して示した拡大正面図である。
【図２】図１に示された腕時計のＡ−Ａ矢視における要部を示した拡大断面図である。
【図３】図１に示された腕時計のバンドにおけるバンド連結部を示した拡大斜視図である。
【図４】図３に示されたバンド連結部材の拡大平面図である。
【図５】図３に示されたバンド連結部材を腕時計ケース側から見た拡大側面図である。
【図６】図３に示されたバンド連結部材を示し、（ａ）はそれを右側から見た拡大側面図、（ｂ）は図４のバンド連結部材のＢ−Ｂ矢視における要部を示した拡大断面図である。
【図７】図３に示されたバンド連結部材の拡大底面図である。
【図８】図６（ａ）に示されたバンド連結部材のＣ−Ｃ矢視における拡大断面図である。
【図９】図８に示されたバンド連結部材のＡ部を示した拡大断面図である。
【発明を実施するための形態】
【００１０】
以下、図１〜図９を参照して、この発明を腕時計に適用した一実施形態について説明する。
この腕時計は、図１および図２に示すように、腕時計ケース１を備えている。この腕時計ケース１は、ほぼ円筒状に形成されている。この腕時計ケース１の上部開口部には、時計ガラス２がパッキン２ａを介して取り付けられている。また、この腕時計ケース１の下部には、裏蓋３が取り付けられている。
【００１１】
この腕時計ケース１の内部には、図２に示すように、時計モジュール４が設けられている。この時計モジュール４は、指針を駆動する時計ムーブメント、時刻や日付などの情報を電気光学的に表示する表示パネル、これらを電気的に駆動するための回路部など、時計機能に必要な各種の部品（いずれも図示せず）を備えている。
【００１２】
この腕時計ケース１の１２時側（図示せず）と６時側とには、図１および図２に示すように、バンド５を取り付けるためのバンド取付部６がそれぞれ設けられている。これらバンド取付部６それぞれは、腕時計ケース１の側面から外部に向けて突出する一対の取付突起部６ａを備えている。バンド５は、バンド本体７とバンド連結部材８とを備えている。
【００１３】
すなわち、このバンド５は、図１および図２に示すように、バンド連結部材８によってバンド本体７が腕時計ケース１のバンド取付部６に取り付けられるように構成されている。この場合、バンド本体７は、ウレタン樹脂などの弾力性を有する合成樹脂製のものであっても良く、また金属製のバンド駒を順次連結した金属製のものでも良く、また合成皮革や天然皮革などの皮製のものであっても良い。
【００１４】
バンド連結部材８は、図１および図２に示すように、腕時計ケース１のバンド取付部６における一対の取付突起部６ａ間に配置され、この状態でバンド取付部６に第１ピン部材９（図８参照）によって取り付けられると共に、バンド本体７の端部７ａが第２ピン部材１０（図８参照）によって取り付けられるように構成されている。
【００１５】
すなわち、このバンド連結部材８は、図１に示すように、バンド本体７の長手方向に対して直交する方向の長さが、腕時計ケース１のバンド取付部６における一対の取付突起部６ａ間の長さとほぼ同じ長さに形成されている。また、このバンド連結部材８は、バンド本体７の長手方向の長さが、一部を除いて、腕時計ケース１のバンド取付部６における一対の取付突起部６ａの突出長さとほぼ同じ長さに形成されている。
【００１６】
これにより、バンド連結部材８は、図１に示すように、腕時計ケース１のバンド取付部６における一対の取付突起部６ａ間に配置されるように構成されている。この場合、バンド連結部材８は、複数の部品片１１〜１３がバンド本体７の長手方向に対して直交する方向に配列されて相互に固着された構成になっている。
【００１７】
すなわち、複数の部品片１１〜１３は、図３〜図８に示すように、本体片１１と第１の装飾片１２と第２の装飾片１３とを備えている。本体片１１は、図１、図３〜図８に示すように、チタン（Ｔｉ）やステンレス（ＳＵＳ）などの金属製で、バンド連結部材８と同様、バンド本体７の長手方向に対して直交する方向の長さが、腕時計ケース１のバンド取付部６における一対の取付突起部６ａ間の長さとほぼ同じ長さに形成されている。
【００１８】
また、この本体片１１は、図１、図３〜図８に示すように、バンド本体７の長手方向の長さが、腕時計ケース１のバンド取付部６における一対の取付突起部６ａの突出長さとほぼ同じ長さに形成されている。また、この本体片１１は、腕時計ケース１側に位置するケース側端面１１ａが、バンド取付部６の一対の取付突起部６ａ間に位置する腕時計ケース１の外側面に対応する形状に形成されている。
【００１９】
すなわち、この本体片１１は、図１、図３および図４に示すように、ケース側端面１１ａが腕時計ケース１の外側面の凸湾曲面と同じ形状の凹湾曲面になるように形成されている。この場合、本体片１１のケース側端面１１ａにおける下部には、図２、図３および図６に示すように、腕時計ケース１の側面下部に設けられた係合凹部６ｂに係合する係合突起部１１ｂが腕時計ケース１に向けて突出して設けられている。
【００２０】
これにより、本体片１１は、図１〜図４に示すように、ケース側端面１１ａの係合突起部１１ｂが腕時計ケース１の側面下部に設けられた係合凹部６ｂに係合して、ケース側端面１１ａが腕時計ケース１の外側面に密接し、この状態で腕時計ケース１のバンド取付部６における一対の取付突起部６ａ間に配置されるように構成されている。
【００２１】
この場合、本体片１１は、図１、図３〜図８に示すように、バンド本体７の長手方向に対して直交する方向におけるほぼ中間部に装着部１１ｃが設けられ、この装着部１１ｃに第１の装飾片１２と第２の装飾片１３とが配列された状態で組み付けられるように構成されている。すなわち、本体片１１は、バンド取付部６の一対の取付突起部６ａ間に位置する腕時計ケース１の外側面に対応するケース側端面１１ａの下部に連結部１１ｄが設けられている。
【００２２】
これにより、本体片１１の装着部１１ｃは、図３〜図８に示すように、本体片１１の連結部１１ｄを除いて、この連結部１１ｄの周囲を切り欠くことにより、本体片１１の上部側およびバンド本体７が位置するバンド側端部１１ｅ側が開放された構成になっている。このため、本体片１１は、装着部１１ｃの両側に位置する両側部１１ｆが連結部１１ｄによって連結された構成になっている。
【００２３】
この場合、本体片１１は、図２および図６（ａ）に示すように、装着部１１ｃの両側に位置する両側部１１ｆにおける各側面の形状が、バンド取付部６の一対の取付突起部６ａにおける各側面の形状とほぼ同じ形状に形成されている。また、この本体片１１の両側部１１ｆには、図８に示すように、第１ピン部材９が挿入するケース取付孔１１ｇが同一軸上で互いに対応して設けられている。
【００２４】
これにより、本体片１１は、図１および図５に示すように、装着部１１ｃの両側に位置する両側部１１ｆの各側面がバンド取付部６の一対の取付突起部６ａにおける各側面に対応した状態で、腕時計ケース１のバンド取付部６における一対の取付突起部６ａ間に配置されると共に、両側部１１ｆの各ケース取付孔１１ｇが一対の取付突起部６ａに互いに対応して設けられた取付穴（図示せず）に対応するように構成されている。
【００２５】
一方、第１の装飾片１２は、図３〜図８に示すように、本体片１１と同様、チタン（Ｔｉ）やステンレス（ＳＵＳ）などの金属製で、本体片１１の装着部１１ｃ内における両側にそれぞれ配置されるように構成されている。すなわち、これら第１の装飾片１２それぞれは、互いに同じ形状で形成されている。
【００２６】
この場合、第１の装飾片１２は、図２、図４および図６（ａ）に示すように、バンド本体７側に位置するバンド側端部１２ａが本体片１１のバンド側端部１１ｅよりも長く形成されており、これ以外は本体片１１とほぼ同じ形状に形成されている。この第１の装飾片１２には、図８に示すように、第１ピン部材９が挿入するケース取付孔１２ｂが本体片１１のケース取付孔１１ｇに対応して設けられている。
【００２７】
また、この第１の装飾片１２は、図２、図４および図６（ａ）に示すように、その下端部が本体片１１の下端部に対応した状態で、バンド本体７側に位置するバンド側端部１２ａが、本体片１１のバンド側端部１１ｅよりも斜め下側に向けて突出するように構成されている。また、この第１の装飾片１２は、図８に示すように、その突出したバンド側端部１２ａに第２ピン部材１０が挿入するバンド取付孔１２ｃが設けられた構成になっている。
【００２８】
このため、この第１の装飾片１２は、図１、図２、図４および図６（ａ）に示すように、バンド側端部１２ａが腕時計ケース１のバンド取付部６における一対の取付突起部６ａの先端部からバンド本体７側に向けて突出し、この突出したバンド側端部１２ａにバンド本体７の端部７ａが図８に示す第２ピン部材１０によって取り付けられるように構成されている。
【００２９】
また、この第１の装飾片１２は、図２、図４および図６（ａ）に示すように、その上端部が本体片１１の上端部よりも少し上方に突出して形成されている。この第１の装飾片１２は、図４に示すように、腕時計ケース１側に位置するケース側端面１２ｄが、本体片１１のケース側端面１１ａと同様、腕時計ケース１の外側面に対応する形状に形成されている。すなわち、この第１の装飾片１２のケース側端面１２ｄは、腕時計ケース１の外側面の凸湾曲面と同じ形状の凹湾曲面になるように形成されている。
【００３０】
この場合にも、第１の装飾片１２のケース側端面１２ｄにおける下部には、図３および図５に示すように、本体片１１のケース側端面１１ａと同様、腕時計ケース１の側面下部に設けられた係合凹部６ｂに係合する係合突起部１２ｅが腕時計ケース１に向けて突出して設けられている。この第１の装飾片１２の係合突起部１２ｅは、本体片１１の連結部１１ｄ上に配置され、この状態で腕時計ケース１の係合凹部６ｂに係合するように構成されている。
【００３１】
第２の装飾片１３は、第１の装飾片１２と同様、チタン（Ｔｉ）やステンレス（ＳＵＳ）などの金属製で、図４および図５に示すように、本体片１１の装着部１１ｃ内に配置された第１の装飾片１２間に配置されるように構成されている。この場合、第２の装飾片１３は、第１の装飾片１２とほぼ同じ形状で、かつ第１の装飾片１２よりも少し小さく形成されている。
【００３２】
すなわち、この第２の装飾片１３は、図４および図６（ｂ）に示すように、第１の装飾片１２と同様、その下端部が本体片１１の下端部に対応した状態で、バンド本体７側に位置するバンド側端部１３ａが、第１の装飾片１２のバンド側端部１２ａと同様、本体片１１のバンド側端部１１ｅよりも斜め下側に向けて突出するように構成されている。
【００３３】
また、この第２の装飾片１３は、図８に示すように、その突出したバンド側端部１３ａに、第１の装飾片１２のバンド取付孔１２ｃと同様、第２ピン部材１０が挿入するバンド取付孔１３ｂが設けられた構成になっている。この場合、第２の装飾片１３のバンド取付孔１３ｂは、第１の装飾片１２のバンド取付孔１２ｃに同一軸上で対応するように設けられている。
【００３４】
このため、この第２の装飾片１３は、図１、図２、図４および図６（ａ）に示すように、バンド側端部１３ａが腕時計ケース１のバンド取付部６における一対の取付突起部６ａの先端部からバンド本体７側に向けて突出し、この突出したバンド側端部１３ａにバンド本体７の端部７ａが図８に示す第２ピン部材１０によって取り付けられるように構成されている。
【００３５】
この場合、第２の装飾片１３にも、図８に示すように、第１ピン部材９が挿入するケース取付孔１３ｃが、第１の装飾片１２のケース取付孔１２ｂに同一軸上で対応して設けられている。また、この第２の装飾片１３は、図２、図４および図６（ａ）に示すように、その上端部が本体片１１の上端部にこれと同じ高さで対応し、かつ第１の装飾片１２の上端部よりも少し低く形成されている。
【００３６】
また、この第２の装飾片１３は、図４に示すように、腕時計ケース１側に位置するケース側端面１３ｄが、本体片１１のケース側端面１１ａおよび第１の装飾片１２のケース側端面１２ｄと同様、腕時計ケース１の外側面に対応する形状に形成されている。すなわち、この第２の装飾片１３のケース側端面１３ｄは、腕時計ケース１の外側面の凸湾曲面と同じ形状の凹湾曲面になるように形成されている。
【００３７】
この場合にも、第２の装飾片１３のケース側端面１３ｄにおける下部には、図３、図５および図６（ｂ）に示すように、本体片１１のケース側端面１１ａと同様、腕時計ケース１の側面下部に設けられた係合凹部６ｂに係合する係合突起部１３ｅが腕時計ケース１に向けて突出して設けられている。この第２の装飾片１３の係合突起部１３ｅは、本体片１１の連結部１１ｄ上に配置され、この状態で腕時計ケース１の係合凹部６ｂに係合するように構成されている。
【００３８】
ところで、バンド連結部材８は、図３および図５に示すように、腕時計ケース１の外側面に対向する本体片１１の両側部１１ｆ、第１の装飾片１２、および第２の装飾片１３の各ケース側端面１１ａ、１２ｄ、１３ｄに固着凹部１４が、本体片１１の両側部１１ｆ、第１の装飾片１２、および第２の装飾片１３の配列方向に沿って設けられている。
【００３９】
この固着凹部１４は、図３および図５に示すように、本体片１１の両側部１１ｆ、第１の装飾片１２および第２の装飾片１３をレーザ溶接などの溶接、または接着剤による接着によって相互に固着するためのものであり、本体片１１の両側部１１ｆ、第１の装飾片１２および第２の装飾片１３に亘って設けられている。
【００４０】
また、本体片１１の両側部１１ｆ、第１の装飾片１２、および第２の装飾片１３の各表面は、図４に示すように、表面加工によって異なる模様の表面処理が施されている。例えば、本体片１１の両側部１１ｆと第２の装飾片１３の各表面は、梨地模様の表面処理が施されている。第１の装飾片１２の表面は、ヘアライン模様の表面処理が施されている。これにより、本体片１１の両側部１１ｆ、第１の装飾片１２、および第２の装飾片１３の各表面は、異なる模様に形成されている。
【００４１】
さらに、このバンド連結部材８は、図８に示すように、本体片１１のケース取付孔１１ｇ、第１の装飾片１２のケース取付孔１２ｂ、および第２の装飾片１２のケース取付孔１３ｃが同一軸上で対応することにより、これらのケース取付孔１１ｇ、１２ｂ、１３ｃ内に補助パイプ１５が嵌め込まれている。この補助パイプ１５は、本体片１１の両側部１１ｆ、第１の装飾片１２および第２の装飾片１３を相互に押し付けて固定するためのものであり、その内部に第１ピン部材９が取り付けられるように構成されている。
【００４２】
この場合、本体片１１の両側部１１ｆに設けられたケース取付孔１１ｇは、図８に示すように、各外部側が下部側に開放された大径の開放孔で、内部側が円形の小径孔に形成されている。この場合、大径の開放孔と円形の小径孔との段差部には、図９に示すように、面取り部１１ｈが設けられている。これに伴って、第１の装飾片１２のケース取付孔１２ｂおよび第２の装飾片１３のケース取付孔１３ｃは、本体片１１のケース取付孔１１ｇの小径孔と同じ大きさに形成されている。
【００４３】
このため、補助パイプ１５は、図８に示すように、その外径が本体片１１の両側部１１ｆに設けられた各ケース取付孔１１ｇの小径孔、第１の装飾片１２のケース取付孔１２ｂ、および第２の装飾片１２のケース取付孔１３ｃの各内径とほぼ同じ大きさに形成されている。また、この補助パイプ１５は、その軸方向の長さが本体片１１の両側部１１ｆにおける各ケース取付孔１１ｇの小径孔間の長さとほぼ同じ長さに形成されている。
【００４４】
これにより、補助パイプ１５は、図８および図９に示すように、本体片１１の両側部１１ｆにおける各ケース取付孔１１ｇの小径孔間に配置された状態で、両端部が押し広げられる方向にカシメられるように構成されている。このため、この補助パイプ１５は、そのカシメ部１５ａがケース取付孔１１ｇにおける大径の開放孔と円形の小径孔との段差部の面取り部１１ｈに押し付けられることにより、本体片１１の両側部１１ｆ、第１の装飾片１２、および第２の装飾片１３を互いに押し付けて固定するように構成されている。
【００４５】
この場合、第１ピン部材９は、図８に示すように、両端部が弾力的に出没するばね棒である。すなわち、この第１ピン部材９は、パイプ部９ａと、このパイプ部９ａ内に配置されたばね部材９ｂと、パイプ部９ａの両端部に設けられてばね部材９ｂによって出没可能に押し出される一対のピン部９ｃと、を備えている。
【００４６】
この第１ピン部材９のパイプ部９ａは、図８に示すように、その外径が補助パイプ１５の内径とほぼ同じ大きさで、軸方向の長さが補助パイプ１５の軸方向の長さとほぼ同じ長さに形成されている。また、一対のピン部は、ばね部材９ｂのばね力によってパイプ部９ａの両端から押し出された際に、バンド連結部材８の両側から外部に突出するように構成されている。
【００４７】
これにより、第１ピン部材９は、図８に示すように、パイプ部９ａがバンド連結部材８の各ケース取付孔１１ｇ、１２ｂ、１３ｃ内に嵌め込まれた補助パイプ１５内に挿入されることにより、一対のピン部９ｃがバンド連結部材８の両側から外部に突出した状態で、バンド連結部材８に取り付けられるように構成されている。
【００４８】
また、この第１ピン部材９は、図１および図８に示すように、一対のピン部９ｃをばね部材９ｂのばね力に抗して押し込んで、バンド連結部材８を腕時計ケース１のバンド取付部６における一対の取付突起部６ａ間に配置させると、一対のピン部９ｃがばね部材９ｂのばね力によって押し出されて、一対の取付突起部６ａの取付孔（図示せず）に挿入されることにより、バンド連結部材８を腕時計ケース１のバンド取付部６に取り付けるように構成されている。
【００４９】
一方、バンド連結部材８は、図８に示すように、本体片１１のバンド側端部１１ｅからバンド本体７側に突出する第１の装飾片１２のバンド側端部１２ａに設けられたバンド取付孔１２ｃと、これに対応する第２の装飾片１３のバンド側端部１３ａに設けられたバンド取付孔１３ｂと、が同一軸上で対応することにより、第２ピン部材１０が挿入するように構成されている。
【００５０】
この場合、第２の装飾片１３のバンド取付孔１３ｂは、図８に示すように、その軸方向における中心部を境に、一方側（図８では左側）が小径孔に形成され、他方側（図８では右側）が大径孔に形成されている。これに伴って、第１の装飾片１２のうち、一方側（図８では左側）の第１の装飾片１２のバンド取付孔１２ｃが小径孔に形成され、他方側（図８では右側）の第１の装飾片１２のバンド取付孔１２ｃが大径孔に形成されている。
【００５１】
また、第２ピン部材１０は、図８に示すように、雌ねじ部１０ｂが設けられた第１ピン１０ａと、この第１ピン１０ａの雌ねじ１０ｂに螺入する雄ねじ１０ｄが設けられた第２ピン１０ｃと、を備えている。この場合、第１ピン１０ａは、その外径が第１の装飾片１２のバンド取付孔１２ｃにおける大径孔の内径とほぼ同じ大きさで、その軸方向の長さがバンド本体７の長手方向と直交する方向の長さのほぼ半分の長さに形成されている。
【００５２】
また、第２ピン１０ｃは、図８に示すように、その外径が第１の装飾片１２のバンド取付孔１２ｃにおける小径孔の内径とほぼ同じ大きさで、その軸方向の長さが、第１ピン１０ａの軸方向の長さとほぼ同じ長さ、つまりバンド本体７の長手方向と直交する方向の長さのほぼ半分の長さに形成されている。
【００５３】
これにより、第２ピン部材１０は、図８に示すように、第１ピン１０ａが第１の装飾片１２のバンド取付孔１２ｃにおける大径孔から第２の装飾片１３のバンド取付孔１３ｂの大径孔に挿入され、第２ピン１０ｃが第１の装飾片１２のバンド取付孔１２ｃにおける小径孔から、第２の装飾片１３のバンド取付孔１３ｂの小径孔に挿入されるように構成されている。
【００５４】
この場合、バンド本体７の端部７ａには、図１および図８に示すように、第１、第２の装飾片１２、１３の各バンド側端部１２ａ、１３ａが挿入する凹部７ｂが設けられている。また、このバンド本体７の端部７ａにおける凹部７ｂの両側には、第１、第２の装飾片１２、１３の各バンド取付孔１２ｃ、１３ｂが対応する取付孔７ｃがバンド本体７の長手方向と直交する方向に設けられている。
【００５５】
これにより、第２ピン部材１０は、図１および図８に示すように、バンド本体７の端部７ａの取付孔７ｃが第１、第２の装飾片１２、１３の各バンド取付孔１２ｃ、１３ｂに対応した状態で、第１ピン１０ａがバンド本体７の一方の取付孔７ｃを通して第１、第２の装飾片１２、１３の各バンド取付孔１２ｃ、１３ｂの各大径孔に挿入されるように構成されている。
【００５６】
また、この第２ピン部材１０は、図１および図８に示すように、第２ピン１０ｃがバンド本体７の他方の取付孔７ｃを通して第１、第２の装飾片１２、１３の各バンド取付孔１２ｃ、１３ｂの各小径孔に挿入され、この状態で雄ねじ１０ｄが雌ねじ１０ｂに螺合されることにより、第１、第２の装飾片１２、１３の各バンド側端部１２ａ、１３ａにバンド本体７の端部７ａを取り付けるように構成されている。
【００５７】
次に、このような腕時計のバンド５の作用について説明する。
まず、バンド連結部材８を製作する場合には、予め、１つの本体片１１、２つの第１の装飾片１２、および１つの第２の装飾片１３をそれぞれ個別に製作し、その各表面に表面処理を施す。このときには、図４に示すように、本体片１１と第２の装飾片１３との各表面に梨地模様の表面処理を施し、２つの第２の装飾片１２の各表面にヘアライン模様の表面処理を施す。
【００５８】
そして、本体片１１に第１の装飾片１２と第２の装飾片１３を組み付ける。この場合には、図３および図５に示すように、本体片１１の両側部１１ｆ間に位置する装着部１１ｃ内の両側に第１の装飾片１２をそれぞれ配置し、これら第１の装飾片１２間に第２の装飾片１３を配置する。これにより、本体片１１の両側部１１ｆと第１の装飾片１２と第２の装飾片１３とがバンド本体７の長手方向と直交する方向に配列されて組み付けられる。
【００５９】
このときには、図８に示すように、本体片１１の両側部１１ｆに設けられたケース取付孔１１ｇと、第１の装飾片１２のケース取付孔１２ｂと、第２の装飾片１３のケース取付孔１３ｃとが、同一軸上に対応する。また、このときには、第１の装飾片１２のバンド取付孔１２ｃと、第２の装飾片１３のバンド取付孔１３ｂとが、同一軸上に対応する。
【００６０】
この状態では、本体片１１の両側部１１ｆの各ケース側端面１１ａ、第１の装飾片１２のケース側端面１２ｄ、第２の装飾片１３のケース側端面１３ｄが、腕時計ケース１の外側面の凸湾曲面と同じ形状の凹湾曲面になるように配列される。このときには、本体片１１の両側部１１ｆの各係合突起部１１ｂ、第１の装飾片１２の係合突起部１２ｅ、第２の装飾片１３の係合突起部１３ｅが、同一面上に配列される。
【００６１】
また、このときには、本体片１１の両側部１１ｆの各ケース側端面１１ａ、第１の装飾片１２のケース側端面１２ｄ、第２の装飾片１３のケース側端面１３ｄに、固着凹部１４が、本体片１１の両側部１１ｆ、第１の装飾片１２、および第２の装飾片１３に亘ってその配列方向に沿って設けられる。さらに、このときには、第１の装飾片１２のバンド側端面１２ａと、第２の装飾片１３のバンド側端面１３ａとが、本体片１１のバンド側端部１１ｅから大きく突出する。
【００６２】
この場合には、本体片１１のバンド側端部１１ｅから突出した第１の装飾片１２のバンド取付孔１２ｃが、第２の装飾片１３のバンド取付孔１３ｂに対応した状態で、本体片１１のバンド側端部１１ｅから突出した位置で露出する。また、このときには、第１の装飾片１２の各上端部が、本体片１１の上端部と第２の装飾片１３の上端部よりも少し上方に突出する。
【００６３】
そして、バンド本体７の長手方向と直交する方向に配列された本体片１１の両側部１１ｆと第１の装飾片１２と第２の装飾片１３とを、レーザ溶接などの溶接または接着剤による接着によって相互に固着する。このときには、本体片１１、第１の装飾片１２、および第２の装飾片１３に亘って設けられた固着凹部１４内において、レーザ溶接などの溶接または接着剤による接着によって、本体片１１の両側部１１ｆと第１の装飾片１２と第２の装飾片１３とを相互に固着する。
【００６４】
また、このときには、本体片１１の両側部１１ｆに設けられた各ケース取付孔１１ｇの各小径孔、第１の装飾片１２のケース取付孔１２ｂ、および第２の装飾片１２のケース取付孔１３ｃ内に、補助パイプ１５を嵌め込む。この状態で、補助パイプ１５の両端部を押し広げるようにカシメる。
【００６５】
すると、補助パイプ１５は、その両端部のカシメ部１５ａがケース取付孔１１ｇにおける大径の開放孔と円形の小径孔との段差部に設けられた面取り部１１ｈに押し付けられる。このため、本体片１１の両側部１１ｆ、第１の装飾片１２、および第２の装飾片１３は、補助パイプ１５の両端部がカシメられることによって、相互に押し付けられて固定される。これにより、バンド連結部材８が製作される。
【００６６】
次に、腕時計ケース１のバンド取付部６にバンド本体７をバンド連結部材８によって取り付ける場合について説明する。
まず、バンド本体７の端部７ａにバンド連結部材８を取り付ける場合には、バンド本体７の端部７ａに設けられた凹部７ｂに、バンド連結部材８における第１、第２の装飾片１２、１３の各バンド側端部１２ａ、１３ａを挿入させて、バンド本体７の端部７ａの取付孔７ｃに第１、第２の装飾片１２、１３の各バンド取付孔１２ｃ、１３ｂを対応させる。
【００６７】
この状態で、第２ピン部材１０の第１ピン１０ａをバンド本体７の一方の取付孔７ｃから第１、第２の装飾片１２、１３の各バンド取付孔１２ｃ、１３ｂの各大径孔に挿入させる。また、第２ピン部材１０の第２ピン１０ｃをバンド本体７の他方の取付孔７ｃから第１、第２の装飾片１２、１３の各バンド取付孔１２ｃ、１３ｂの各小径孔に挿入させる。
【００６８】
この状態で、第２ピン１０ｃの雄ねじ１０ｄを第１ピン１０ａの雌ねじ１０ｂに螺合させて締め付ける。これにより、第１の装飾片１２のバンド側端部１２ａと第２の装飾片１３のバンド側端部１３ａとにバンド本体７の端部７ａが取り付けられる。
【００６９】
また、腕時計ケース１のバンド取付部６にバンド連結部材８を取り付ける場合には、バンド連結部材８における本体片１１の両側部１１ｆに設けられた各ケース取付孔１１ｇの各小径孔、第１の装飾片１２のケース取付孔１２ｂ、および第２の装飾片１２のケース取付孔１３ｃ内に嵌め込まれた補助パイプ１５内に第１ピン部材９を挿入させて取り付ける。
【００７０】
このときには、第１ピン部材９のパイプ部９ａをバンド連結部材８の各ケース取付孔１１ｇ、１２ｂ、１３ｃ内に嵌め込まれた補助パイプ１５内に挿入させて、一対のピン部９ｃをバンド連結部材８の両側から外部に突出させる。この状態で、第１ピン部材９の一対のピン部９ｃをばね部材９ｂのばね力に抗して押し込んで、バンド連結部材８を腕時計ケース１のバンド取付部６における一対の取付突起部６ａ間に配置させる。
【００７１】
すると、一対のピン部９ｃがばね部材９ｂのばね力によって押し出されて、一対の取付突起部６ａに互いに対向して設けられた取付穴（図示せず）にそれぞれ挿入される。これにより、バンド連結部材８が腕時計ケース１のバンド取付部６に取り付けられる。
【００７２】
このように、この腕時計のバンド５によれば、バンド本体７と、このバンド本体７の端部７ａとこれに対応する腕時計ケース１のバンド取付部６とに取り付けられるバンド連結部材８と、を備え、このバンド連結部材８が、複数の部品片１１〜１３をバンド本体７の長手方向に対して直交する方向に配列させて相互に固着した構成であるから、最小限の部品点数で、装飾性に優れ、かつ取付作業の簡素化を図ることができる。
【００７３】
すなわち、この腕時計のバンド５では、複数の部品片１１〜１３を配列させた状態で相互に固着して一体化することができるので、バンド連結部材８の装飾性を向上させることができると共に、バンド連結部材８が複数の部品片１１〜１３で形成されていても、バンド連結部材８を１つの部品として取付作業を行うことができる。このため、最小限の部品点数で、装飾性に優れ、かつ取付作業の簡素化を図ることができる。
【００７４】
この場合、複数の部品片１１〜１３は、装着部１１ｃが設けられた本体片１１と、この本体片１１の装着部１１ｃに配列されて組み付けられる第１の装飾片１２および第２の装飾片１３と、を備えていることにより、これら本体片１１、第１の装飾片１２、および第２の装飾片１３によってバンド連結部材８の装飾性を向上させることができ、これによりデザイン性および外観性の向上を図ることができる。
【００７５】
この場合、このバンド連結部材８では、本体片１１、第１の装飾片１２、および第２の装飾片１３の各表面に、表面加工により異なる模様の表面処理を施すことができるので、より一層、バンド連結部材８の装飾性を向上させることができ、これによりデザイン性および外観性の更なる向上を図ることができる。
【００７６】
すなわち、このバンド連結部材８では、例えば、本体片１１および第２の装飾片１３の各表面に梨地模様の表面処理を施し、第１の装飾片１２の表面にヘアライン模様の表面処理を施すことができ、これにより極めて装飾性の高いバンド連結部材８を提供することができる。
【００７７】
また、バンド連結部材８は、腕時計ケース１に対面する本体片１１、第１の装飾片１２、および第２の装飾片１３の各対向面である各ケース側端面１１ａ、１２ｄ、１３ｄが、バンド取付部６における腕時計ケース１の外面に対応する形状に形成されていることにより、本体片１１、第１の装飾片１２、および第２の装飾片１３の各ケース側端面１１ａ、１２ｄ、１３ｄを腕時計ケース１の外面に密接させることができる。
【００７８】
すなわち、このバンド連結部材８では、腕時計ケース１のバンド取付部６にバンド連結部材８を配置した際に、本体片１１、第１の装飾片１２、および第２の装飾片１３の各ケース側端面１１ａ、１２ｄ、１３ｄをバンド取付部６における腕時計ケース１の外面に隙間が生じることなく密接させることができるので、これによってもデザイン性および外観性の向上を図ることができる。
【００７９】
また、バンド連結部材８における本体片１１、第１の装飾片１２、および第２の装飾片１３の各対向面である各ケース側端面１１ａ、１２ｄ、１３ｄには、本体片１１、第１の装飾片１２、および第２の装飾片１３を溶接または接着によって相互に固着するための固着凹部１４が、本体片１１、第１の装飾片１２、および第２の装飾片１３に亘ってその配列方向に設けられていることにより、固着凹部１４内において本体片１１の両側部１１ｆ、第１の装飾片１２および第２の装飾片１３をレーザ溶接などの溶接、または接着剤による接着によって固着することができる。
【００８０】
すなわち、このバンド連結部材８では、本体片１１の両側部１１ｆ、第１の装飾片１２および第２の装飾片１３を、レーザ溶接などの溶接、または接着剤による接着によって確実にかつ強固に固着することができるほか、溶接のバリや接着剤のはみ出しを固着凹部１４内に収めることができると共に、この固着凹部１４を腕時計ケース１の外面で隠すことができるので、これによってもデザイン性および外観性の向上を図ることができる。
【００８１】
また、バンド連結部材８は、本体片１１、第１の装飾片１２および第２の装飾片１３をその配列方向に固定するための補助パイプ１５を備えていることにより、本体片１１の両側部１１ｆに設けられた各ケース取付孔１１ｇの各小径孔、第１の装飾片１２のケース取付孔１２ｂ、および第２の装飾片１２のケース取付孔１３ｃ内に補助パイプ１５を嵌め込むことができ、この補助パイプ１５によって本体片１１の両側部１１ｆ、第１の装飾片１２および第２の装飾片１３を相互に押し付け合うように固定することができる。
【００８２】
すなわち、補助パイプ１５は、本体片１１の両側部１１ｆに設けられた各ケース取付孔１１ｇの各小径孔、第１の装飾片１２のケース取付孔１２ｂ、および第２の装飾片１２のケース取付孔１３ｃ内に嵌め込まれた状態で、補助パイプ１５の両端部を押し広げるようにカシメることにより、そのカシメ部１５ａを大径孔と小径孔との段差部の面取り部１１ｈに押し付けて、本体片１１の両側部１１ｆ、第１の装飾片１２、および第２の装飾片１３を互いに押し付けて固定することができる。
【００８３】
また、このバンド連結部材８では、本体片１１の両側部１１ｆに設けられた各ケース取付孔１１ｇの各小径孔、第１の装飾片１２のケース取付孔１２ｂ、および第２の装飾片１２のケース取付孔１３ｃ内に嵌め込まれた補助パイプ１５に第１ピン部材９が挿入され、この第１ピン部材９によって腕時計ケース１のバンド取付部６に取り付けられることにより、バンド連結部材８を腕時計ケース１のバンド取付部６に確実にかつ強固に取り付けることができる。
【００８４】
この場合、第１ピン部材９は、両端部が弾力的に出没するばね棒であり、パイプ部９ａと、このパイプ部９ａ内に配置されたばね部材９ｂと、パイプ部９ａの両端部に設けられてばね部材９ｂによって出没可能に押し出される一対のピン部９ｃと、を備えていることにより、この第１ピン部材９によってバンド連結部材８を腕時計ケース１のバンド取付部６に簡単にかつ確実に取り付けることができる。
【００８５】
すなわち、この第１ピン部材９は、パイプ部９ａをバンド連結部材８内の補助パイプ１５内に挿入させて、一対のピン部９ｃをばね部材９ｂのばね力に抗して押し込み、この状態でバンド連結部材８を腕時計ケース１のバンド取付部６における一対の取付突起部６ａ間に配置させると、一対のピン部９ｃがばね部材９ｂのばね力によって押し出されて一対の取付突起部６ａの取付孔（図示せず）に挿入されるので、バンド連結部材８を腕時計ケース１のバンド取付部６に簡単にかつ確実に取り付けることができる。
【００８６】
さらに、バンド連結部材８は、第１の装飾片１２および第２の装飾片１３が腕時計ケース１のバンド取付部６よりもバンド本体７側に突出し、この突出した第１の装飾片１２および第２の装飾片１３の各バンド側端部１２ａ、１３ａに各取付孔１２ｃ、１３ｂが設けられ、これら各取付孔１２ｃ、１３ｂに挿入された第２ピン部材１０によってバンド本体７の端部７ａに取り付けられることにより、バンド連結部材８をバンド本体７に確実にかつ強固に取り付けることができる。
【００８７】
この場合、第２ピン部材１０は、雌ねじ部１０ｂが設けられた第１ピン１０ａと、この第１ピン１０ａの雌ねじ１０ｂに螺入する雄ねじ１０ｄが設けられた第２ピン１０ｃと、を備えていることにより、第２ピン１０ｃの雄ねじ１０ｄを第１ピン１０ａの雌ねじ１０ｂに螺合させるだけで、バンド連結部材８をバンド本体７に簡単にかつ確実に取り付けることができる。
【００８８】
すなわち、この第２ピン部材１０は、バンド本体７の端部７ａの取付孔７ｃに第１、第２の装飾片１２、１３の各バンド取付孔１２ｃ、１３ｂを対応させた状態で、第１ピン１０ａをバンド本体７の一方の取付孔７ｃから各バンド取付孔１２ｃ、１３ｂに挿入させ、第２ピン１０ｃをバンド本体７の他方の取付孔７ｃから各バンド取付孔１２ｃ、１３ｂに挿入させて、雄ねじ１０ｄを雌ねじ１０ｂに螺着させることにより、バンド連結部材８をバンド本体７の端部７ａに簡単にかつ確実に取り付けることができる。
【００８９】
なお、上述した実施形態では、本体片１１および第２の装飾片１３の各表面に梨地模様の表面処理を施し、第１の装飾片１２の表面にヘアライン模様の表面処理を施した場合について述べたが、この発明はこれに限らず、例えば本体片１１および第２の装飾片１３の各表面にヘアライン模様の表面処理を施し、第１の装飾片１２の表面に梨地模様の表面処理を施しても良く、また本体片１１、第１の装飾片１２、および第２の装飾片１３の各表面のすべてに同じ模様の表面処理を施しても良い。
【００９０】
また、上述した実施形態では、本体片１１の装着部１１ｃに、２つの第１の装飾片１２と１つの第２装飾片１３とを配置した場合について述べたが、この発明はこれに限らず、例えば第１の装飾片１２を１つまたは３つ以上配置しても良く、また第２の装飾片１３を、２つ以上配置しても良く、第１の装飾片１２と第２装飾片１３とを自由な個数で組み合わせるようにしても良い。
【００９１】
さらに、上述した実施形態では、第１ピン部材９としてばね棒を用いた場合について述べたが、この発明はこれに限らず、雌ねじを備えた第１ピン部材と、雄ねじを備えた第２ピン部材と、で構成されたピン部材であっても良く、またピンの両端部に抜け止め部材を設けたピン部材を用いても良い。
【００９２】
また、上述した実施形態では、第２ピン部材１０が、雌ねじ１０ｂを備えた第１ピン部材１０ａと、雄ねじ１０ｄを備えた第２ピン部材１０ｃと、で構成されている場合について述べたが、この発明はこれに限らず、ばね棒などのピン部材であっても良く、またピンの両端部に抜け止め部材を設けたピン部材を用いても良い。
【００９３】
なおまた、上述した実施形態では、腕時計に適用した場合について述べたが、この発明は必ずしも腕時計である必要はなく、例えば腕装着装置や鞄、バッグなどのバンドにも広く適用することができる。
【００９４】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００９５】
（付記）
請求項１に記載の発明は、バンド本体と、このバンド本体の端部とこれに対応する被装着部材のバンド取付部とに取り付けられるバンド連結部材と、を備え、前記バンド連結部材は、複数の部品片が前記バンド本体の長手方向に対して直交する方向に配列されて相互に固着された構成であることを特徴とするバンドである。
【００９６】
請求項２に記載の発明は、請求項１に記載のバンドにおいて、前記複数の部品片は、装着部が設けられた本体片と、この本体片の前記装着部に配列されて組み付けられる複数の装飾片と、を備えていることを特徴とするバンドである。
【００９７】
請求項３に記載の発明は、請求項２に記載のバンドにおいて、前記バンド連結部材は、前記被装着部材に対面する前記本体片および前記複数の装飾片の各対向面が、前記バンド取付部における前記被装着部材の外面に対応する形状に形成されていることを特徴とするバンドである。
【００９８】
請求項４に記載の発明は、請求項３に記載のバンドにおいて、前記バンド連結部材の前記各対向面には、前記本体片および前記複数の装飾片を溶接または接着によって相互に固着するための固着凹部が、前記本体片および前記複数の装飾片に亘ってその配列方向に設けられていることを特徴とするバンドである。
【００９９】
請求項５に記載の発明は、請求項１〜請求項４のいずれかに記載のバンドにおいて、前記バンド連結部材は、前記複数の部品片をその配列方向に固定するための補助パイプを備えていることを特徴とするバンドである。
【０１００】
請求項６に記載の発明は、請求項５に記載のバンドにおいて、前記バンド連結部材は、前記補助パイプに挿入される第１ピン部材によって前記被装着部材の前記バンド取付部に取り付けられることを特徴とするバンドである。
【０１０１】
請求項７に記載の発明は、請求項２〜請求項５のいずれかに記載のバンドにおいて、前記バンド連結部材は、前記複数の装飾片が前記被装着部材の前記バンド取付部よりも前記バンド本体側に突出し、この突出した前記複数の装飾片の各バンド側端部が第２ピン部材によって前記バンド本体の前記端部に取り付けられることを特徴とするバンドである。
【０１０２】
請求項８に記載の発明は、請求項１〜請求項７のいずれかに記載されたバンドを備えていることを特徴とする時計である。
【符号の説明】
【０１０３】
１  腕時計ケース
５  バンド
６  バンド取付部
６ａ  取付突起部
７  バンド本体
７ａ  端部
７ｂ  凹部
８  バンド連結部材
９  第１ピン部材
１０  第２ピン部材
１１  本体片
１１ａ  ケース側端面
１１ｂ  係合突起部
１１ｃ  装着部
１１ｄ  連結部
１１ｅ  バンド側端部
１１ｆ  両側部
１１ｇ  ケース取付孔
１２  第１の装飾片
１２ａ  バンド側端部
１２ｂ  ケース取付孔
１２ｃ  バンド取付孔
１２ｄ  ケース側端面
１２ｅ  係合突起部
１３  第２の装飾片
１３ａ  バンド側端部
１３ｂ  バンド取付孔
１３ｃ  ケース取付孔
１３ｄ  ケース側端面
１３ｅ  係合突起部
１４  固着凹部
１５  補助パイプ
【図１】
0006284042.tif 000002
【図２】
0006284042.tif 000003
【図３】
0006284042.tif 000004
【図４】
0006284042.tif 000005
【図５】
0006284042.tif 000006
【図６】
0006284042.tif 000007
【図７】
0006284042.tif 000008
【図８】
0006284042.tif 000009
【図９】
0006284042.tif 000010